(57)【特許請求の範囲】
【請求項１】
ケース本体の前面開口部を塞ぐようにスクリーンが取り付けら
れスクリーンの全周縁を覆うようにスクリーン枠がケース本体に取り付けられている画像表示装置において、
前記スクリーン枠であって、スクリーン枠の上方側の開口部端と前記スクリーンとの間にプロテクタスクリーンの厚みに対して余裕のある大きさに設定された挿入間隙を有し、スクリーン枠の下方側の開口部端と前記スクリーンとの間にホルダーの挿入突部が挿入されるホルダー係止溝とを有するスクリーン枠と、
前記スクリーン枠の開口部の左右幅より稍小さい左右幅と前記スクリーン枠の開口部の上下幅より稍大きい上下幅とを有し、上端部は前記挿入間隙に挿入される透明平板のプロテクタスクリーンと、
前記プロテクタスクリーンの下端部を支持するＬ字状の係止部とこの係止部の一端側より垂下された前記ホルダー係止溝に挿入される挿入突部を有する一対のホルダーとを具備し、
前記プロテクタスクリーンの装着は、前記ホルダーの挿入突部を前記ホルダー係止溝に挿入し、次に前記プロテクタスクリーンの上端部を前記挿入間隙に前記下端部が前記ホルダーの上端を超えるまで挿入し、最後に前記プロテクタスクリーンの下端部を前記前記ホルダーのＬ字状の係止部に落とし込んで行うことを特徴とする画像表示装置。
【発明の詳細な説明】
【０００１】
【産業上の利用分野】
本発明は、プロテクタスクリーンを着脱できる画像表示装置及び前記プロテクタスクリーンの取付方法に関する。
【０００２】
【従来の技術】
画像表示装置であるプロジェクションＴＶにはコントラスト向上及びスクリーン保護のため、プロテクタスクリーンを着脱自在に構成したものがあり、かかるプロジェクションＴＶの従来例が図１２に示されている。
【０００３】
図１２において、ケース本体１の前面には開口部（図示せず）が形成され、この開口部を塞ぐようスクリーン３が取り付けられている。スクリーン枠４は長方形の枠体状を有し、前記スクリーン３の周縁を被うようケース本体１に取り付けられている。このスクリーン枠４の前面カバー部４ｂの適所には一方の面ファスナー２０が貼着されている。
【０００４】
プロテクタスクリーン１０はスクリーン枠４と略同寸法の透明平板にて構成され、このプロテクタスクリーン１０の内面周縁の適所には他方の面ファスナー２１が貼着されている。そして、双方の面ファスナー２０，２１同士が接着されることによってプロテクタスクリーン１０が取り付けられている。ここで、双方の面ファスナー２０，２１はその一方が表面側に細かいループ状のプラスチック繊維を無数に密生し、又、他方が表面側に細かいフック状のプラスチック繊維を無数に密生してそれぞれ構成されている。
【０００５】
上記構成において、プロジェクションＴＶを購入し、最初にプロテクタスクリーン１０を取り付けるには、スクリーン枠４の前面カバー部４ｂの適所に一方の面ファスナー２０を貼り付けると共にプロテクタスクリーン１０の内面周縁で、且つ、スクリーン枠４の面ファスナー２０の対向位置にも面ファスナー２１を貼り付ける。そして、このプロテクタスクリーン１０をスクリーン３の前面に位置させ、双方の面ファスナー２０，２１同士を接着させれば完了する。又、プロテクタスクリーン１０を外すには、双方の面ファスナー２０，２１同士の接着力に抗してプロテクタスクリーン１０をスクリーン枠４より引き離せば良い。
【０００６】
【発明が解決しようとする課題】
しかしながら、上記従来例によれば、確かにプロテクタスクリーン１０が着脱自在であるが、特にユーザにとっては面ファスナー２０，２１の貼り付け作業が面倒であり、又、一旦取り付けたプロテクタスクリーン１０を外した場合にはプロジェクションＴＶ側にはスクリーン枠４の面ファスナー２０が残るため、完全に元に復元できないという問題があった。
【０００７】
また、スクリーン枠４自体の大きさは一般に異なるため、たとえ同インチサイズのプロジェクションＴＶであってもプロテクタスクリーン１０の大きさ、面ファスナー２１の貼着位置等を変えなければならず、汎用性がないという問題があった。
【０００８】
そこで、本発明はプロテクタスクリーンの着脱が容易で、プロテクタスクリーンの取り外し後は装置側が完全に元に復元され、さらに、プロテクタスクリーン自体に汎用性がある画像表示装置及びそのプロテクタスクリーンの取付方法を提供することを課題とする。
【０００９】
【課題を解決するための手段】
上記課題を達成するため本発明に係る画像表示装置は、ケース本体の前面開口部を塞ぐようにスクリーンが取り付けられスクリーンの全周縁を覆うようにスクリーン枠がケース本体に取り付けられている画像表示装置において、
前記スクリーン枠であって、スクリーン枠の上方側の開口部端と前記スクリーンとの間にプロテクタスクリーンの厚みに対して余裕のある大きさに設定された挿入間隙を有し、スクリーン枠の下方側の開口部端と前記スクリーンとの間にホルダーの挿入突部が挿入されるホルダー係止溝とを有するスクリーン枠と、前記スクリーン枠の開口部の左右幅より稍小さい左右幅と前記スクリーン枠の開口部の上下幅より稍大きい上下幅とを有し、上端部は前記挿入間隙に挿入される透明平板のプロテクタスクリーンと、前記プロテクタスクリーンの下端部を支持するＬ字状の係止部とこの係止部の一端側より垂下された前記ホルダー係止溝に挿入される挿入突部を有する一対のホルダーとを具備し、前記プロテクタスクリーンの装着は、前記ホルダーの挿入突部を前記ホルダー係止溝に挿入し、次に前記プロテクタスクリーンの上端部を前記挿入間隙に前記下端部が前記ホルダーの上端を超えるまで挿入し、最後に前記プロテクタスクリーンの下端部を前記前記ホルダーのＬ字状の係止部に落とし込んで行うことを特徴とするものである。
【００１５】
【作用】
本発明によれば、プロテクタスクリーンの上端をスクリーン枠の上方の挿入間隙に挿入し、且つ、プロテクタスクリーンの下端をホルダーに係止すればプロテクタスクリーンの取り付けが完了し、上記と逆の動作によりプロテクタスクリーンの取り外しができる。開口部の上下端を利用してプロテクタスクリーンを取り付けるので、取り付けない状態でも正面から見たときに固定用の機構が見えずデザイン的に完成されている。また画像表示範囲に対応した開口部に対して取り付けられる大きさを有するので同じインチサイズの画像を表示するモデル間で共通化も図れる。
【００２１】
【実施例】
以下、本発明の実施例を図面を用いて説明する。図１から図５には本発明の第１実施例が示され、図１にはプロテクタスクリーン装着時のプロジェクションＴＶの斜視図、図２にはその縦断面図、図３にはプロテクタスクリーン非装着時のプロジェクションＴＶの斜視図、図４にはその縦断面図、図５にはプロテクタスクリーンの一部斜視図がそれぞれ示されている。
【００２２】
図３，図４において、ケース本体１の前面には開口部２が形成され、この開口部２を塞ぐようスクリーン３が取り付けられている。このスクリーン３にはケース本体１内に収納されたＣＲＴ（図示せず）の映像光が内面側に投射される。
【００２３】
スクリーン枠４は、長方形の枠体状を有し、スクリーン３の全周縁を被うようケース本体１に取り付けられている。このスクリーン枠４は、上下面側及び側面側に位置する周縁カバー部４ａと前面側に位置する前面カバー部４ｂとが一体的に構成され、この前面カバー部４ｂの内側にはスクリーン支持突部４ｃが突設されている。このスクリーン支持突部４ｃの先端がスクリーン３に当接してスクリーン３を支持している。又、前面カバー部４ｂにて囲まれた開口部５よりスクリーン３が前方より臨まれ、この開口部５の大きさは有効画面の大きさに設定されている。即ち、スクリーン枠４自体の最大外形寸法はスクリーン３の大きさ等に依存して設定されるため、メーカー等によって異なるが、開口部５の大きさ（横幅，縦幅）は一律に設定される。
【００２４】
図４に詳しく示すように、前面カバー部４ｂの上方側の開口部端６とスクリーン３との間には挿入間隙７が構成され、この挿入間隙７の寸法ｄ1はプロテクタスクリーン１０の厚みｄ2に対して余裕のある大きさに設定されている。この実施例ではプロテクタスクリーン１０の厚みｄ2が３ミリメートルに対して挿入間隙７の寸法ｄ1を４ミリメートルに設定してある。又、前面カバー部４ｂの下方側の開口部端８とスクリーン３との間にはホルダー係止溝９が構成され、この実施例ではホルダー係止溝９の幅は１．５ミリメートルである。尚、この実施例では、前面カバー部４ｂの左右両側の開口部端とスクリーン３との間も同寸法の間隙が構成されている。
【００２５】
一方、図１，図２に示すように、プロテクタスクリーン１０の装着には、プロテクタスクリーン１０と一対のホルダー１１が用いられる。プロテクタスクリーン１０は透明平板であり、横幅寸法が前記スクリーン枠４の開口部５の横幅とほぼ同一で、且つ、縦幅寸法が前記スクリーン枠４の開口部５の縦幅より若干大きく構成されている。即ち、有効画面の寸法に対して縦幅が若干大きい寸法の透明平板である。又、プロテクタスクリーン１０の上端周縁の内面側には、図５に詳しく示す如く、面取り部１０ａが形成されている。
【００２６】
一対のホルダー１１は、Ｌ字状の係止部１１ａとこの係止部１１ａの一端側より垂下された挿入突部１１ｂとからそれぞれ構成されている。
【００２７】
次に、プロジェクションＴＶにプロテクタスクリーン１０を取り付ける手順を説明する。一対のホルダー１１の挿入突部１１ｂをスクリーン枠４下方のホルダー係止溝９にそれぞれ挿入して、一対のホルダー１１を取り付ける。すると、各ホルダー１１の係止部１１ａとスクリーン３にて係止凹部１３が構成される。次に、図１にて仮想線で示す如く、プロテクタスクリーン１０を斜めに傾けた状態でプロテクタスクリーン１０の上端をスクリーン枠４上方の挿入間隙７に挿入し、この挿入状態を保持してプロテクタスクリーン１０の向きを垂直方向に直す。その後、プロテクタスクリーン１０の下端を係止凹部１３に落とし込めば完了し、図１にて実線で示す状態となる。
【００２８】
また、プロジェクションＴＶからプロテクタスクリーン１０を取り外すには、プロテクタスクリーン１０を上方に引き上げてプロテクタスクリーン１０の下端を係止凹部１３から外す。この引き上げたプロテクタスクリーン１０を斜めに傾け、この傾斜状態でプロテクタスクリーン１０の上端を挿入間隙７から引き抜く。次に、一対のホルダー１１をホルダー係止溝９より引き抜けば完了し、図３で示す状態となる。従って、プロテクタスクリーン１０の取り付け及び取り外しが非常に簡単にでき、プロテクタスクリーン１０の取り外し後はプロジェクションＴＶが完全に元の状態に戻る。
【００２９】
また、プロテクタスクリーン１０の上端周縁の内面側には面取り部１０ａが形成されているため、プロテクタスクリーン１０の挿入間隙７への挿入・引き抜きに際して挿入・引き抜きがスムーズとなりスクリーン３を傷付けるのを防止できる。
【００３０】
さらに、スクリーン３の寸法やスクリーン枠４の最大外径寸法が異なっても開口部５の大きさが一定であるため、同一のプロテクタスクリーン１０を使用できる。
【００３１】
さらにまた、挿入間隙７の幅がプロテクタスクリーン１０の厚みｄ2に対して余裕のある大きさに設定されているため、スクリーン枠４に無理な変形を与えることなくプロテクタスクリーン１０の挿入・引き抜きができる。
【００３２】
図６から図１０には本発明の第２実施例が示されている。図６から図１０において、この第２実施例と前記第１実施例とを比較するに、第２実施例では、図１０に詳しく示す如く、プロテクタスクリーン１０の上端周縁には面取り部が形成されておらず、その上端周縁には保護テープ１２（例えば布テープ）が貼着されている点が異なる。他の構成は前記第１実施例と同一であるため、図面に同一符号を付してその説明を省略する。
【００３３】
この第２実施例においても前記第１実施例と略同様の作用・効果を有する。又、プロテクタスクリーン１０の上端周縁には保護テープ１２が貼着されているため、プロテクタスクリーン１０の挿入間隙７への挿入・引き抜きに際して保護テープ１２を介してスクリーン３に接触し、スクリーン３を傷付けるのを防止できる。
【００３４】
図１１にはプロテクタスクリーン１０の変形例が示されている。図１１において、プロテクタスクリーン１０の上端周縁の内面側には面取り部１０ａが形成され、且つ、上端周縁には保護テープ１２が貼着されている。この変形例によれば、プロテクタスクリーン１０の挿入間隙７への挿入・引き抜きに際して挿入・引き抜きがスムーズになると共にプロテクタスクリーン１０が保護テープ１２を介してスクリーン３に接触するため、上記実施例と較べてよりスクリーン３の損傷を防止できる。
【００３５】
尚、上記実施例では、一対のホルダー１１を着脱自在に構成したが、スクリーン枠４に固定して構成しても良い。
【００３６】
尚、上記実施例では、本発明をプロジェクションＴＶに適用した場合を示したが、他の画像表示装置にも同様に適用できる。
【００３７】
【発明の効果】
以上述べたように本発明によれば、スクリーン枠の上方にスクリーンとの間で挿入間隙を構成し、スクリーン枠の下方にホルダーを設け、前記挿入間隙にプロテクタスクリーンの上端を挿入し、且つ、前記ホルダーにプロテクタスクリーンの下端を係止してプロテクタスクリーンを取り付けたので、プロテクタスクリーンの取り付け・取り外しが容易で、プロテクタスクリーンの取り外し後は装置側が完全に元に復元されるという効果がある。開口部の上下端を利用してプロテクタスクリーンを取り付けるので、取り付けない状態でも正面から見たときに固定用の機構が見えずデザイン的に完成されている。また画像表示範囲に対応した開口部に対して取り付けられる大きさを有するので同じインチサイズの画像を表示するモデル間で共通化も図れる。
【図面の簡単な説明】
【図１】プロテクタスクリーン装着時のプロジェクションＴＶの斜視図（第１実施例）。
【図２】プロテクタスクリーン装着時のプロジェクションＴＶの縦断面図（第１実施例）。
【図３】プロテクタスクリーン非装着時のプロジェクションＴＶの斜視図（第１実施例）。
【図４】プロテクタスクリーン非装着時のプロジェクションＴＶの縦断面図（第１実施例）。
【図５】プロテクタスクリーンの一部斜視図（第１実施例）。
【図６】プロテクタスクリーン装着時のプロジェクションＴＶの斜視図（第２実施例）。
【図７】プロテクタスクリーン装着時のプロジェクションＴＶの縦断面図（第２実施例）。
【図８】プロテクタスクリーン非装着時のプロジェクションＴＶの斜視図（第２実施例）。
【図９】プロテクタスクリーン非装着時のプロジェクションＴＶの縦断面図（第２実施例）。
【図１０】プロテクタスクリーンの一部斜視図（第２実施例）。
【図１１】プロテクタスクリーンの一部斜視図（変形例）。
【図１２】プロジェクションＴＶの斜視図（従来例）。
【符号の説明】
１…ケース本体
３…スクリーン
４…スクリーン枠
４ｂ…前面カバー部
５…開口部
６…上方側の開口部端
７…挿入間隙
８…下方側の開口部端
９…ホルダー係止溝
１０…プロテクタスクリーン
１１…ホルダー
１３…係止凹部
【図１】
0003539771.tif 000002
【図２】
0003539771.tif 000003
【図３】
0003539771.tif 000004
【図４】
0003539771.tif 000005
【図５】
0003539771.tif 000006
【図６】
0003539771.tif 000007
【図７】
0003539771.tif 000008
【図８】
0003539771.tif 000009
【図９】
0003539771.tif 000010
【図１０】
0003539771.tif 000011
【図１１】
0003539771.tif 000012
【図１２】
0003539771.tif 000013